(57)【要約】【課題】本発明は、テーブル構造を改良し、車椅子の被検者に無理な姿勢を強いる事がなく疲労を軽減することができる検眼装置搭載用光学台を提供する。【解決手段】被検者が乗った車椅子１００の車輪１０１、肘置き１０２と接触干渉しない短辺部２Ｂとを有する検眼、診断用の検眼装置本体載置用のテーブル本体４と、前記テーブル本体４を回転させ、前記車輪１０１、肘置き１０２と接触干渉しない短辺部２Ｂを車椅子１００側に臨ませるテーブル回転機構部と、前記テーブル本体１０４に載置される検眼装置本体１１０を回転させ、その検眼装置を被検眼に対峙させる本体回転機構部と、を有するものである。【選択図】　　　図２
2004089327.tif 000002
【特許請求の範囲】
【請求項１】
椅子に座った被検者の検眼を行う検眼装置を搭載するためのテーブル本体を備えた検眼装置搭載用光学台において、
前記テーブル本体は、前記被検者の近くへ入り込めるよう前記椅子の座席幅より狭い一辺を有し、
さらに、前記テーブル本体を回転することによって前記テーブル本体の一辺を前記被検者側に臨ませるテーブル回転機構部と、
前記検眼装置を載置するためのターンテーブルを有し、前記ターンテーブルを支持し、かつ前記ターンテーブルを前記一辺を境に前記検眼装置が被検眼に相対するよう回転可能に前記テーブル本体に取り付けられた装置回転機構部と、
を備えたことを特徴とする検眼装置搭載用光学台。
【請求項２】
椅子に座った被検者の検眼を行う検眼装置を搭載するためテーブル本体を備えた検眼装置搭載用光学台において、
前記テーブル本体は、前記被検者の近くへ入り込めるよう前記椅子の座席幅より狭い一辺を有し、
さらに、前記検眼装置を載置して回転可能なターンテーブル有し、前記ターンテーブルを回転させることによって前記検眼装置を前記テーブル本体の前記一辺を境に前記被検眼に相対するよう方向調整可能にし、かつ前記ターンテーブルを前記被検者に対して遠近方向に位置を移動調整可能にされた位置移動機構部を備えたことを特徴とする検眼装置搭載用光学台。
【請求項３】
椅子に座った被検者の検眼を行う検眼装置を搭載するためのテーブル本体を備えた検眼装置搭載用光学台において、
前記検眼装置が載置され、前記テーブル本体上に設けられた架台と、
前記テーブル本体を回転させて前記被検眼と前記検眼装置の水平方向の位置合わせを可能にするとともに、前記テーブル本体の傾斜角度を調整して前記被検眼と前記検眼装置の目高位置合わせを可能にする位置調整手段と、
前記位置調整手段で移動させたことによる不安定さに応じた力を前記架台に付加することにより平衡させるための平衡手段と、
を備えたことを特徴とする検眼装置搭載用光学台。
【請求項４】
前記平衡手段は、前記方向調整手段で前記テーブル本体が前記被検体側で下がった傾斜角度に調整されたときの前記傾斜角度を検出するセンサと、検出した前記傾斜角度に応じて前記架台が前方に移動する力と平衡させるために被検者側から前記架台への力を付与する付加手段とを備えたことを特徴とする請求項３の検眼装置搭載用光学台。
【発明の詳細な説明】
【０００１】
【発明の属する技術分野】
本発明は、眼科医の診療所や眼鏡店等に設置される検眼装置搭載用光学台及びその光学台と検眼装置を組み込んだ検眼システムに関するものである。特に、車椅子を利用した人でも容易にその人の目高にあった検眼装置の位置を調整して検眼できるものに係る。
【０００２】
【従来の技術】
近年、バリヤフリー等の考え等が広まり、各種物品販売店等の店内の状態は車椅子の走行が便利なような設備に変化しつつあるが、眼科医の診療所等や眼鏡店等のようなところで検眼、診断するさいの検眼装置等の設備そのものが車椅子のお客用に対応されていない。
【０００３】
車椅子で通院又は来店される被検者に関しては、車椅子の一部（肘置き等）と検眼装置搭載用光学台の辺部とが接触干渉したり、テーブル本体と車椅子の前車輪や足置き部とが干渉する等の不都合が発生し、被検者にかなり無理な姿勢を強制して疲れさせたり、場合によっては当該被検者に対する検眼、診断ができないことが多々ある。即ち、自覚式検眼ユニット、レフラクトメータのような検眼装置類を設置した通常の検眼装置搭載用光学台を使用しての対応は困難であった。
【０００４】
この他、車椅子で通院又は来店される被検者に対する対策としては、掛け枠テストの実行、手持ちレフの使用等の例も存在するが、これらの場合には簡易な検眼、診断に止まり、十分な検眼、診断による眼鏡調整等ができないのが実情である。このため、被検眼の正確な度数測定や、角膜状態の解析が不十分となり適正な眼鏡レンズやコンタクトレンズ等を調整することが困難であった。
【０００５】
さらに、車椅子の被検者に関してもその症状は多々あり、首をある程度自由に動かせる被検者、首を全く動かすことができず斜め上方を見上げるだけで検眼、診断がより困難な被検者等、様々である。
【０００６】
【発明が解決しようとする課題】
上述したように、車椅子で通院又は来店される被検者に関して、従来の検眼装置搭載用光学台を使用しての検眼は十分に対応できず、簡易な検眼に止まっているのが実情である。
【０００７】
本発明は、上記事情に鑑みてなされたものであり、検眼又は診断用の検眼装置を搭載した光学台を構造を改良し、車椅子の被検者の検眼や治療を行う際に、被検者の症状の軽重を問わず無理な姿勢を強いる事がなく疲労を軽減することができ、しかも車椅子を使用していない被検者と同等の検眼又は診断を可能とする光学台を提供することを目的とする。
【０００８】
【課題を解決するための手段】
上記課題を解決するにあたっては、光学台に用いられるテーブル本体の構造を工夫するとともに、被検者の被検眼とそれを検眼するための検眼装置とを結ぶ線を、言い換えれば、検眼と検眼装置とを結ぶ直線光路を、被検者の自然な姿のまま光学装置の位置を調整できる装置が望ましい。つまりは、前記直線光路を自由に調整できることが望ましい。そこで、具体的な手段として次ぎのようにした。
【０００９】
請求項１の発明では、椅子に座った被検者の被検眼を検眼する検眼装置を搭載するためのテーブル本体を備えた検眼装置搭載用光学台において、前記テーブル本体は、前記被検者の近くへ入り込めるよう前記椅子の座席幅より狭い一辺を有し、さらに、前記テーブル本体を回転することによって前記テーブル本体の一辺を前記被検者側に臨ませるテーブル回転機構部と、前記検眼装置を載置するためのターンテーブルを有し、前記ターンテーブルを支持し、かつ前記ターンテーブルを前記一辺を境に前記検眼装置が被検眼に相対するよう回転可能に前記テーブル本体に取り付けられた装置回転機構部とを備えた。
【００１０】
請求項２の発明では、椅子に座った被検者の検眼を行う検眼装置を搭載するためテーブル本体を備えた検眼装置搭載用光学台において、前記テーブル本体は、前記被検者の近くへ入り込めるよう前記椅子の座席幅より狭い一辺を有し、さらに、前記検眼装置を載置して回転可能なターンテーブル有し、前記ターンテーブルを回転させることによって前記検眼装置を前記テーブル本体の前記一辺を境に前記被検眼に相対するよう方向調整可能にし、かつ前記ターンテーブルを前記被検者に対して遠近方向に位置を移動調整可能にされた位置移動機構部とを備えた。
【００１１】
請求項３の発明では、椅子に座った被検者の検眼を行う検眼装置を搭載するためのテーブル本体を備えた検眼装置搭載用光学台において、前記検眼装置が載置され、前記テーブ本体に設けられた架台と、前記テーブル本体を回転させて前記被検眼と前記検眼装置の水平方向の位置合わせを可能にするとともに、前記テーブル本体の傾斜角度を調整して前記被検眼と前記検眼装置の目高位置合わせを可能にする位置調整手段と、前記位置調整手段で移動させたことによる不安定さに応じた力を前記架台に付加することにより平衡させるための平衡手段とを備えた。
【００１２】
請求項４の発明では、前記平衡手段は、前記方向調整手段で前記テーブル本体が前記被検体側で下がった傾斜角度に調整されたときの前記傾斜角度を検出するセンサと、検出した前記傾斜角度に応じて前記架台が前方に移動する力と平衡させるための力量を算出する演算部と、演算部が演算した力量を被検者側から前記架台への力を付与する付加手段とを備えた。
【００１３】
【発明の実施の形態】
以下に本発明の実施の形態について詳細に説明する。
【００１４】
（実施の形態１）
図１、図２は、本発明の実施の形態１の検眼装置搭載用光学台１を示すものであり、この検眼装置搭載用光学台１は、長辺部２Ａと、短辺部２Ｂ（短辺部２Ｂは、本発明の「被検者の近くへ入り込めるよう前記椅子の座席幅より狭い一辺」に該当する。）とを有する矩形状のテーブル本体２（天板）と、このテーブル本体２を水平配置に支持する支持部３とを含むテーブル４備え、このテーブル４で検眼用又は診断用の検眼装置１１１を含む装置本体１１０を搭載している。
【００１５】
前記長辺部２Ａは、図４に示す被検者Ｍが乗った車椅子１００を接近させた場合、車椅子１００の車輪１０１、肘置き１０２等が接触干渉する寸法を有している場合を説明するが、長辺部２Ａの長さは、次に示す短辺部２Ｂと同じであってもかまわない。
【００１６】
一方、前記短辺部２Ｂは、前記車椅子１００を接近させた場合、車輪１０１、肘置き１０２と接触干渉（衝突）しない、即ち例えば一対の肘置き１０２間の寸法をＬ０、短辺部２Ｂの寸法をＬ１としたとき、Ｌ１＜Ｌ０となる寸法に設定されている。つまり短辺部２ＢのＬ１は、椅子の座席幅相当である。
【００１７】
また、検眼装置搭載用光学台１は、図２に示すように、前記テーブル本体２を９０度回転させ、前記車輪１０１、肘置き１０２と接触干渉しない短辺部２Ｂを車椅子１００側に臨ませるためのテーブル回転機構部５（図３参照）と、前記テーブル本体２に載置される例えばレフラクトメータのような装置本体１１０を９０度回転させ、その検眼装置部１１１を被検者Ｍの被検眼Ｅに対峙させる装置回転機構部６とを有している。
【００１８】
装置本体１１０は、図４に示すように、固定基台１１３と、被検者Ｍの眼屈折力測定用の光学系を搭載した検眼装置１１１を搭載するとともに、固定基台１１３上を前後左右（図４に示すＸ，Ｙ方向）に移動可能に構成した移動架台１１２と、移動架台１１２から突設されこの移動架台１１２を移動操作するジョイスティック１１４と、固定基台１１３の被検者Ｍ側の壁面に取り付けた被検者Ｍの顔を固定し被検眼の位置を決めるための顎受台１１５とを具備している。
【００１９】
前記テーブル回転機構部５は、図３に示すように、支持部３を構成するキャスタ７付の基台８から立設した下部支柱９と、前記テーブル本体２の下面中央から下方に向けて突設した上部支柱１０とを、例えばネジ結合により相対的に回動可能に連結することにより、前記テーブル本体２を基台８に対して９０度又は所望角度回転可能としている。
【００２０】
装置回転機構部６は、図３に示すように、テーブル本体２の略中央部において、このテーブル本体２に設けた軸部１１により円板状のターンテーブル１２を回転可能に支持し、これにより、ターンテーブル１２上に載置される装置本体１１０を軸部１１の回りに９０度又は所望角度回転可能としている。
【００２１】
本実施の形態１の検眼装置搭載用光学台１によれば、上述したテーブル４の構成により、通常は図１に示す配置の装置本体１１０を、車椅子１００に乗った被検者Ｍに対する検眼時に前記テーブル本体２を基台８に対して９０度回転させ、図２に示す短辺部２Ｂが、前記車椅子１００の車輪１０１、肘置き１０２と接触干渉しない配置とする。これとともに、前記装置回転機構部６によりターンテーブル１２とともに装置本体１１０を軸部１１の回りに９０度回転させ、装置本体１１０の検眼装置１１１を被検者Ｍに対峙させる。
【００２２】
この結果、図４に示すように、被検者Ｍは無理な姿勢をとることなく自己の顔を装置本体１１０に設けている顎受台１１５に載せ、被検眼Ｅを検眼装置１１１の検者側端面に正対させ検眼処理（眼屈折力測定等）を受けることができる。
【００２３】
尚、装置本体１１０が顎受台１１５を備えないものである場合においても、被検者Ｍは無理な姿勢をとることなく被検眼Ｅを検眼装置１１１の被検者側端面に正対させ検眼処理を受けることができる。
【００２４】
また、前記検眼装置搭載用光学台１は、手動にてテーブル本体２、装置本体１１０を回転させる場合について説明したが、これらを電動タイプとすることももちろん可能である。
【００２５】
（実施の形態２）
図５、図６は、本発明の実施の形態２の検眼装置搭載用光学台１Ａを示すものであり、この検眼装置搭載用光学台１Ａは、被検者側長辺部２２Ａと、検者側長辺部２２Ｂと、短辺部２２Ｃ、端部側短辺部２２Ｄとを有する平面形状が変形矩形状のテーブル本体（天板）２２と、このテーブル本体２２の端部側短辺部２２Ｄ側で前記テーブル本体２２を水平配置に支持する略直方体状の支持部２１とからなる検眼用のテーブル２０を具備している。
【００２６】
前記被検者側長辺部２２Ａよりも被検者側の長辺部２２Ｂのほうが少なくとも椅子の座席幅寄り短い短寸法に形成され、これにより短辺部２２Ｃは図５に示すように端部側短辺部２２Ｄとは非平行となっている。
【００２７】
このような検眼装置搭載用光学台１Ａのテーブル本体２２の形状により、被検者側長辺部２２Ａ側は、被検者Ｍが乗った車椅子１００の車輪１０１、肘置き１０２と接触干渉するが、短辺部２２Ｃ側、特に被検者側長辺部２２Ａに隣接する領域においては、図５に示すように、車輪１０１、肘置き１０２と短辺部２２Ｃとが接触干渉しない部分が生じて、車椅子１００のテーブル本体２２への接近を容易としている。
【００２８】
更に、検眼装置搭載用光学台１Ａは、前記テーブル本体２２上部に載置される実施の形態１と同様なレフラクトメータのような装置本体１１０を、前記短辺部２２Ｃ側に臨む車椅子１００上の被検者Ｍの被検眼Ｅに対する検眼適正位置に移動可能な位置移動機構部３０を前記テーブル本体２２に設けている。
【００２９】
この位置移動機構部３０は、図５および図７（ａ）（ｂ）に示すように、端部側短辺部２２Ｄの近傍から短辺部２２Ｃに向けて直線状に伸び、短辺部２２Ｃの近傍で緩やかにＬ状に曲がって被検者側長辺部２２Ａの近傍に至るガイド溝３１と、このガイド溝３１内を隅から隅まで走行可能なローラ３３付きの走行体３２と、この走行体３２から軸支部３５を介してその回りを回転可能に立設した支柱３４によって前記テーブル本体２２に沿う状態で水平支持したターンテーブル３６とを具備し、装置本体１１０をターンテーブル３６上に載せてテーブル本体２２上を前記ガイド溝３１の形成範囲で移動し得るように構成している。移動後は、図７に示すように固定手段である固定ねじ３７によりターンテーブル３６とテーブル本体２２の間を固定することにより、全体の安定化が図れる。なお、図７（ａ）は、ガイド溝３１の横方向から位置移動機構部３０全体を見た図で、図７（ｂ）は、ガイド溝３１の長手方向から見た図である。
【００３０】
本実施の形態２の検眼装置搭載用光学台１Ａによれば、ターンテーブル３６上の眼科装置本体１１０を検眼状態では図５に示す端部側短辺部２２Ｄ側に配置しておき、車椅子１００に乗った被検者Ｍに対する検眼時においては、車椅子１００を短辺部２２Ｃ側、特に被検者側長辺部２２Ａに隣接する領域に誘導し、車輪１０１、肘置き１０２と短辺部２２Ｃとが接触干渉しない部分で車椅子１００へテーブル本体２２側を接近させる。
【００３１】
また、ターンテーブル３６上の装置本体１１０を、走行体３２とともにガイド溝３１に沿って移動させ、短辺部２２Ｃの近傍に移す。このときガイド溝３１がＬ状であるため、眼科装置本体１１０の向きが被検者Ｍに対して適正とならないので、前記軸支部３５の回りに装置本体１１０を回し、図８に示すよう装置本体１１０の検眼装置１１１の被検者Ｍ側の端面（検眼装置１１１の正面）を被検者Ｍに対峙させる。　この結果、被検者Ｍは無理な姿勢をとることなく自己の顔を装置本体１１０に設けている顎受台１１５に載せ、被検眼Ｅを検眼装置１１１の被検者側端面に正対させ検眼処理（眼屈折力測定等）を受けることができる。
【００３２】
尚、装置本体１１０が顎受台１１５を備えないものである場合においても、被検者Ｍは無理な姿勢をとることなく被検眼Ｅを検眼装置１１１の被検者側端面に正対させ検眼処理を受けることができる。
【００３３】
また、前記検眼装置搭載用光学台１Ａの位置移動機構部３０は、手動にて装置本体１１０を移動させる構成であるが、電動タイプとすることももちろん可能である。
【００３４】
（実施の形態３）
図９は、本発明の実施の形態３の検眼装置搭載用光学台１Ｂの外観構成を示すものである。
【００３５】
この検眼装置搭載用光学台１Ｂは、実施の形態１と同様な装置本体１１０を載せるテーブル本体４１と、このテーブル本体４１を支柱４２ａを介して支持するキャスタ４３付きの支持基台４２と、テーブル本体４１の端縁部が車椅子１００の車輪１０１、肘置き１０２と干渉しないように前記テーブル本体４１を上下駆動、傾斜駆動し、前記装置本体１１０の検眼装置１１１を車椅子１００に乗った被検者Ｍの目高の最適位置に対峙させる駆動手段４４と、テーブル本体４１を傾斜させた際に前記装置本体１１０のテーブル本体４１からの滑り落ちを防止する本体ロック手段４５と、通常モード、車椅子モードを設定するモードスイッチ４６とを有している。テーブル本体４１の幅寸法は、被検者Ｍが乗った車椅子１００の車輪１０１、肘置き１０２と接触干渉しない寸法としている。
【００３６】
さらに、検眼装置搭載用光学台１Ｂは、図１０に示すように、前記テーブル本体４１の傾斜状態（角度）を検出する傾斜センサ５１と、この傾斜センサ５１にて検出した傾斜状態に応じて、前記移動架台１１２（本発明の架台に相当）の傾斜状態での移動操作時の力量均衡に必要な付与力量を算出する演算手段５２と、算出した付与力量を移動架台１１２の被検者Ｍ側の端面に付与し、テーブル本体４１の傾斜に伴う移動架台１１２の移動力量均衡を行う力量均衡手段５３（本発明の付加手段に相当する。）と、前記演算手段５２の付与力量の算出に必要な前記テーブル本体４１の傾斜状態（角度）とこれに対応する移動架台１１２の力量との対応データを記憶した記憶部５５と、前記テーブル本体４１を遠隔操作にて上下駆動、傾斜駆動させるためのリモートコントローラ５６と、上述した各要素を制御する制御部５０とを有している。上記の傾斜センサ５１、演算手段５２及力量均衡手段５３は、本発明の平衡手段を構成している。
【００３７】
前記駆動手段４４は、図９に示すように、本発明の位置調整手段であって、上下駆動部６１と、回動駆動部６２とを具備している。上下駆動部６１は、支持基台４２の中央部に設けた支持突部４２ｃの嵌合孔内に支柱４２ａの下部を嵌合するとともに、支柱４２ａ側に図示していないがラックを設け、支持突部４２ｃ内に配置したやはり図示しないピニオンを駆動モータで回転させることにより、支柱４２ａを上下動させるように構成している。
【００３８】
前記回動駆動部６２としては、例えば図１１に示すように、前記支柱４２ａの上端突部４２ｂを、テーブル本体４１の下面中央部に設けた一対の受部４１ａ内に嵌装するとともに、前記受部４１ａ側に固着したピン６３を上端突部４２ｂ内を貫通させて連結するとともに、受部４１ａ側に配置したピン６３と一体の歯車６４に対して、前記支柱４２ａ側に固着したモータ６６に取り付けた原動歯車６７を噛合させ、モータ６６の回転力を原動歯車６７から歯車６４及びピン６３に伝達することで、前記テーブル本体４１を図９に示す矢印方向に回動させるように構成している。図９、図１１中、６８は円筒状カバー体である。
【００３９】
前記本体ロック手段４５は、例えば、図９に示すように、テーブル本体４１の上面に配置した電磁石７１と、前記固定基台１１３の下面に固着した磁性金属板７２とを具備し、電磁石７１への通電により生じる磁力で磁性金属板７２を吸引し、固定基台１１３をテーブル本体４１上の所定の位置で固定するようになっている。
【００４０】
力量均衡手段５３は、図１２、図１３に示すように、前記テーブル本体４１の被検者側の端部に配置され、テーブル本体４１の傾斜に応じた力量を移動架台１１２の被検者Ｍ側の端面に付与するように構成している。すなわち、テーブル本体４１から立設した支持材８１により、円筒状の筒体８２及びステッピィングモータ８３を固定支持するとともに、筒体８２内に移動架台１１２の端面に接触させる押圧体８４、バネ８５、調整体８６を順に配置し、調整体８６の下部に設けたラック部８６ａにステッピィングモータ８３に取り付けたピニオン８７を噛合させ、ステッピィングモータ８３の回転により調整体８６の位置を変位させることで、バネ８５の押圧体８４に対する付勢力を調整し、これにより、前記テーブル本体４１の傾斜に応じて異なる力量を移動架台１１２の端面に付与可能としている。
【００４１】
前記傾斜センサ５１は、例えば、図１１に示すように、前記ピン６３と一体の歯車６４の外側にロータリエンコーダ５１ａを取り付け、テーブル本体４１の傾斜状態（角度）を検出するようになっている。
【００４２】
リモートコントローラ５６は、図１４に拡大して示すように、テーブル本体４１の上昇用キー９１、下降用キー９２、テーブル本体４１の水平位置、前傾（被検者Ｍ側への傾き）位置を連続的に調整するためのスライドキー９３と、制御系への接続ケーブル９４とを具備している。尚、上昇用キー９１、下降用キー９２、スライドキー９３の近傍にこれらを意味する点字９５（点々で示す）を付し、視力弱者に対応する構成とすることもできる。
【００４３】
次に、本実施の形態３の検眼装置搭載用光学台１Ｂの作用を、前記モードスイッチ４６により車椅子モードを設定した場合を中心に、図１５、図１６を参照して説明する。
【００４４】
車椅子１００に乗った被検者Ｍが、その車輪１０１、肘置き１０２と接触干渉しない寸法のテーブル本体４１の近傍に至り、モードスイッチ４６により車椅子モードを設定すると（ステップＳ１）、検者は前記リモートコントローラ５６の上昇用キー９１を必要量操作し、これにより駆動手段４４の上下駆動部６１は上昇用キー９１の操作量分（例えば１０ｃｍ）テーブル本体４１を上昇させる（ステップＳ２）。テーブル本体４１を上昇させるのは、図１６のように被検者が椅子の背もたれに頭を寄せたような場合にいくらか被検眼が上目になるために、後述のように検眼装置１１１を傾斜させるので、通常の高さ位置では検眼装置１１１を検眼適正位置とすることができないからである。
【００４５】
次に、検者は前記リモートコントローラ５６のスライドキー９３を必要量操作し、これにより駆動手段４４の回動駆動部６２は、テーブル本体４１をスライドキー９３の操作量に応じて水平位置から、被検者Ｍ側への前傾位置（例えば傾斜角１０度）へ連続的に傾斜させ（ステップＳ３）、車椅子１００に乗った被検者Ｍの被検眼Ｅに対する検眼装置１１１の目高調整を行い、検眼装置１１１を図１６に示すように、車椅子１００に乗った被検者Ｍに対する検眼適正位置とする。
【００４６】
このとき、傾斜センサ５１を構成するロータリエンコーダ５１ａは、テーブル本体４１の傾斜角度を検出し、検出信号を前記制御部５０に送る（ステップＳ４）　前記本体ロック手段４５は、制御部５０の制御の基に傾斜センサ５１の検出信号に応じて動作し、移動架台１１２をテーブル本体４１上の所定の位置で固定して検眼時における装置本体１１０の移動を防止して安全性を確保する。また本体ロック手段４５が動作しない場合には、以降の処理を中断するようにし、被検者Ｍに対する安全性をより高めることもできる。
【００４７】
次に、前記演算手段５２は、前記検出信号に基づきテーブル本体４１の傾斜に対応する移動架台１１２の傾斜状態における移動操作時の力量均衡に必要な付与力量（例えば８００ｇ等）を算出する（ステップＳ５）。力量均衡手段５３は、制御部５０の制御の基にステッピィングモータ８３を回転駆動し、調整体８６の位置を変位させ、バネ８５の押圧体８４に対する付勢力を調整し、これにより、前記テーブル本体４１の傾斜に応じて付与力量（例えば８００ｇ等）を移動架台１１２の端面に付与する（ステップＳ６）。
【００４８】
この結果、検者はジョイスティック１１４にて行う移動架台１１２の粗動操作等の操作性を、装置本体１１０の水平状態のときと全く同様なものとして確保できる。このようにして、車椅子１００に乗った被検者Ｍの被検眼Ｅに対する検眼装置１１１の検眼適正位置の確保と、検者の操作性とを確保し、被検眼Ｅに対する検眼処理を行うことができる（ステップＳ７）。
【００４９】
尚、検者が前記リモートコントローラ５６のスライドキー９３を誤って必要量以上操作してしまい、テーブル本体４１が傾き過ぎたような状態では、傾斜センサ５１の検出信号が所定角度（例えば３０度等）を超えた際に、前記本体ロック手段４５により、直ちに電磁石７１へ通電し、発生する磁力により固定基台１１３をテーブル本体４１上の所定の位置で固定し、装置本体１１０の被検者Ｍ側への滑り落ちを防止することもできる。
【００５０】
本実施の形態３によれば、被検者Ｍは無理な姿勢をとることなく自己の顔を装置本体１１０に設けている顎受台１１５に載せ、被検眼Ｅを検眼装置１１１の被検者側端面に正対させ検眼処理（眼屈折力測定等）を受けることができる。尚、装置本体１１０が顎受台１１５を備えないものである場合においても、被検者Ｍは無理な姿勢をとることなく被検眼Ｅを検眼装置１１１の被検者側端面に正対させ検眼処理を受けることができる。
【００５１】
特にテーブル本体４１、従って装置本体１１０を被検者Ｍ側に前傾させて、被検眼Ｅに対する検眼装置１１１の検眼適正位置、また被検眼Ｅと検眼装置１１１を結ぶ光路を被検者の自然な姿のまま調整して適正位置を確保するものであるから、被検者Ｍの被検眼Ｅの視線方向に検眼装置１１１を合わせることができ、例え症状が重い被検者Ｍの場合（この場合には顎受台１１５を予め取り外しておく）においても楽な姿勢での検眼が可能になり、疲労が少なくて済み、苦痛を伴うことなく検眼処理を行うことが可能となる。
【００５２】
尚、被検者Ｍ自身によって、自分の目高位置や視線方向に合わせて前記リモートコントローラ５６の操作による検眼装置１１１の目高位置調整を行うことももちろん可能である。
【００５３】
また、テーブル本体４１の寸法によっては、装置本体１１０の底部とテーブル本体４１との間に、例えばラック、ピニオン機構及び駆動モータを介在させ、装置本体１１０自体をテーブル本体４１上で進退させる構成を組み合わせ、被検眼Ｅに対する検眼装置１１１の検眼適正位置の確保を図ることも可能である。この場合、前記リモートコントローラ５６に装置本体１１０の進退動用のキーを付加すれば操作性の向上を図れる。
【００５４】
（実施の形態４）
この実施の形態４では、実施の形態２で示した位置移動機構部３０がガイド溝３１で移動させたのとは異なり、図７に示すようにレール機構で移動させるものである。具体的には、図１７（ａ）に示すようにテーブル本体２２の背面に、端部側短辺部２２Ｄの近傍から短辺部２２Ｃに向けて直線状に伸び、短辺部２２Ｃの近傍で緩やかにＬ状に曲がって被検者側長辺部２２Ａの近傍に至るレール１２０を備えている。さらにこのレール１２０に沿ってを隅から隅まで移動可能にされ、かつ移動テーブル１２３の取手を兼ねたテーブル取手１２２と、この移動テーブル１２３に回転可能に立設された回転支柱１２１によって前記テーブル本体２２に沿う状態で水平支持したターンテーブル１２４とを具備している。そうすることにより、装置本体１１０をターンテーブル１２４上に載せてテーブル本体２２上をレール１２０の形成範囲で移動し得るように構成している。移動後は、図１７には図示していないが、図７に示すような固定手段である固定ねじ等によりターンテーブル１２４とテーブル本体２２の間を固定することにより、全体の安定化が図れる。なお、図１７（ａ）のレール１２０は、テーブル本体２２の端に沿って移動可能なこと、回転支柱１２１は移動テーブル１２３の端に設けられていることから、装置本体１１０を図１７（ａ）の収納の位置から図１７（ｂ）の位置に移動させ、さらに図１７（ｃ）に示すようにターンテーブル１２４で回転支柱１２１を中心に１８０度回転させることにより、図１７（ｄ）に示すようにテーブル本体２２より装置本体１１０を飛び出せる構成となっている。したがって、他の要素と接触干渉することなく、より被検者Ｍへ装置本体１１０が接近できる構成となっている。
【００５５】
本発明は、上述した各実施の形態の他、種々の応用が可能である。例えば、上述した各実施の形態では、装置本体１１０としてレフラクトメータを用いる場合について説明したが、この他、レフケラトメータ、眼圧計、眼底カメラ等の検眼又は診断を行う各種検眼装置用のテーブルとして適用できる。
【００５６】
【発明の効果】
請求項１記載の発明によれば、回転可能なテーブルをその短辺部側から椅子の車輪、肘置きと接触干渉しないで被検者の近くまで臨めるようにしたので、車椅子使用の被検者が無理な姿勢をとることなく自己の被検眼を検眼装置の被検者側端面に正対させて検眼や診断処理を受けることができる検眼装置搭載用光学台を提供できる。
【００５７】
請求項２記載の発明によれば、検眼装置本体を、車椅子上の被検者の被検眼に対する検眼、診断用の適正位置に移動させることで、被検者は無理な姿勢をとることなく、自己の被検眼を検眼装置の被検者側端面に正対させて検眼や診断処理を受けることができる検眼装置搭載用光学台を提供できる。
【００５８】
請求項３記載の発明によれば、検眼装置本体の車椅子に乗った被検者の目高位置に対する位置調整を適正に行い、かつ、テーブル本体の傾斜に伴う不安定さを解消する構成としたので、より、被検者は無理な姿勢をとることなく、自己の被検眼を検眼装置の被検者側端面に正対させて検眼や診断処理を受けることができる。したがって重症の被検者にも対応可能な検眼装置搭載用光学台を提供できる。
【図面の簡単な説明】
【図１】本発明の実施の形態１の検眼装置搭載用光学台と長辺側に臨ませた車椅子の平面図である。
【図２】本実施の形態１の検眼装置搭載用光学台と短辺側に臨ませた車椅子の平面図である。
【図３】本実施の形態１の検眼装置搭載用光学台の概略断面図である。
【図４】本実施の形態１の検眼装置搭載用光学台を使用し車椅子に乗った被検者に対する検眼を行う状態の説明図である。
【図５】本発明の実施の形態２の検眼装置搭載用光学台及び車椅子と検眼装置本体の移動状態を示す平面図である。
【図６】本実施の形態２の検眼装置搭載用光学台の正面図である。
【図７】本実施の形態２の検眼装置搭載用光学台における位置移動機構部の部分拡大断面図である。
【図８】本実施の形態２の検眼装置搭載用光学台を使用し車椅子に乗った被検者に対する検眼を行う状態の説明図である。
【図９】本発明の実施の形態３の検眼装置搭載用光学台の正面図である。
【図１０】本実施の形態３の検眼装置搭載用光学台の制御系を示すブロック図である。
【図１１】本実施の形態３の検眼装置搭載用光学台の回動駆動部の部分拡大斜視図である。
【図１２】本実施の形態３の検眼装置搭載用光学台における力量均衡手段の部分拡大図である。
【図１３】本実施の形態３の検眼装置搭載用光学台における力量均衡手段の部分斜視図である。
【図１４】本実施の形態３の検眼装置搭載用光学台のリモートコントローラを示す概略平面図である。
【図１５】本実施の形態３の検眼装置搭載用光学台を使用しての検眼処理に至る流れを示すフローチャートである。
【図１６】本実施の形態３の検眼装置搭載用光学台を使用し車椅子に乗った被検者に対する検眼を行う状態の説明図である。
【図１７】本実施の形態４の位置移動機構部の説明図である。
【符号の説明】
Ｅ　被検眼
Ｍ　被検者
１　検眼装置搭載用光学台
１Ａ　検眼装置搭載用光学台
１Ｂ　検眼装置搭載用光学台
２　テーブル本体
２Ａ　長辺部
２Ｂ　短辺部
３　支持部
４　テーブル
５　テーブル回転機構部
６　装置回転機構部
７　キャスタ
８　基台
９　下部支柱
１０　上部支柱
１１　軸部
１２　ターンテーブル
２０　テーブル
２１　支持部
２２　テーブル本体
２２Ａ　被検者側長辺部
２２Ｂ　検者側長辺部
２２Ｃ　短辺部
２２Ｄ　端部側短辺部
３０　位置移動機構部
３１　ガイド溝
３２　走行体
３３　ローラ
３４　支柱
３５　軸支部
３６　ターンテーブル
３７　固定ねじ
４１　テーブル本体
４１ａ　受部
４２　支持基台
４２ａ　支柱
４２ｂ　上端突部
４２ｃ　支持突部
４３　キャスタ
４４　駆動手段
４５　本体ロック手段
４６　モードスイッチ
５０　制御部
５１　傾斜センサ
５１ａ　ロータリエンコーダ
５２　演算手段
５３　力量均衡手段
５５　記憶部
５６　リモートコントローラ
６１　上下駆動部
６２　回動駆動部
６３　ピン
６４　歯車
６６　モータ
６７　原動歯車
６８　円筒状カバー体
７１　電磁石
７２　磁性金属板
８１　支持材
８２　筒体
８３　ステッピィングモータ
８４　押圧体
８５　バネ
８６　調整体
８６ａ　ラック部
８７　ピニオン
９１　上昇用キー
９２　下降用キー
９３　スライドキー
９４　接続ケーブル
９５　点字
１００　車椅子
１０１　車輪
１０２　肘置き
１１０　装置本体
１１１　検眼装置
１１２　移動架台
１１３　固定基台
１１４　ジョイスティック
１１５　顎受台
１２０　レール
１２１　回転支柱
１２２　テーブル取手
１２３　移動テーブル
１２４　ターンテーブル
【図１】
2004089327.tif 000003
【図２】
2004089327.tif 000004
【図３】
2004089327.tif 000005
【図４】
2004089327.tif 000006
【図５】
2004089327.tif 000007
【図６】
2004089327.tif 000008
【図７】
2004089327.tif 000009
【図８】
2004089327.tif 000010
【図９】
2004089327.tif 000011
【図１０】
2004089327.tif 000012
【図１１】
2004089327.tif 000013
【図１２】
2004089327.tif 000014
【図１３】
2004089327.tif 000015
【図１４】
2004089327.tif 000016
【図１５】
2004089327.tif 000017
【図１６】
2004089327.tif 000018
【図１７】
2004089327.tif 000019